(57)【要約】【課題】  商品清算装置において、販売する商品の売れ残りを減らす。【解決手段】  買い上げる商品の価格に関する清算を行う商品清算装置に関する。前記買い上げ対象の商品を指定できるように、当該買上げ対象の商品の画像を表示する商品指定ボタン３１を表示する表示操作部３と、前記買上げ対象の商品の残量を演算する演算手段とを備え、前記演算手段によって算出された商品の残量を当該商品についての前記商品指定ボタン３１に表示することを特徴とする。【選択図】        図４
2005322038.tif 000002
【特許請求の範囲】
【請求項１】
買い上げる商品の価格に関する清算を行う商品清算装置であって、
買い上げ対象の商品を指定できるように画像を表示する商品指定ボタンを表示する表示操作部と、
前記商品の残量を演算する演算手段とを備え、
前記演算手段によって算出された商品の残量を当該商品についての前記商品指定ボタンに表示すること
を特徴とする商品清算装置。
【請求項２】
請求項１に記載の商品清算装置であって、
前記表示操作部に前記商品指定ボタンが複数表示されると共に、前記複数の商品指定ボタンに商品ごとの残量が表示されること
を特徴とする商品清算装置。
【請求項３】
請求項１または２に記載の商品清算装置であって、
前記清算する商品を前記商品指定ボタンによって指定すると、前記演算手段によって算出された残量が所定の閾値よりも少ない商品を前記操作表示部に表示させること
を特徴とする商品清算装置。
【請求項４】
請求項３に記載の商品清算装置であって、
前記清算する商品の指定に加え前記残量の少ない商品を前記商品指定ボタンで指定すると、予め設定された値引き計算を行う値引手段を備えること
を特徴とする商品清算装置。
【請求項５】
請求項１ないし４のいずれか１項に記載の商品清算装置であって、
時刻に対する商品の残量に基づいて、商品が品切れになるか否かを予測する手段を更に備え、
当該予測に基づいて品切れ予測を表示するようにした商品清算装置。
【請求項６】
請求項５において、時刻に対する商品の残量に基づいて品切れとなる時刻を算出し、当該時刻を商品ごとに表示するようにした商品清算装置。
【請求項７】
請求項１ないし６のいずれか１項に記載の商品清算装置であって、
時刻に対する商品の残量に基づいて、商品が閉店までに売り切れないことを予測する手段を更に備え、
当該予測に基づいて品余り予測を表示するようにした商品清算装置。
【発明の詳細な説明】
【技術分野】
【０００１】
本発明は、商品清算装置に関する。
【背景技術】
【０００２】
展示商品の在庫数等を表示する従来技術としては下記の特許文献１〜４が知られている。
【特許文献１】特開平１−１９６６９４号（図２，図３）
【特許文献２】特開平５−１３４６３５号（００１０）
【特許文献３】特開２０００−３３９５５０（要約書）
【特許文献４】特開平７−１５２９６５号（０００３，０００７，００１４）
【０００３】
特許文献１の表示システムでは、商品の棚札に在庫表示の指定をすると個々の商品の在庫が表示される。
特許文献２の表示装置では、商品の棚札に在庫量に応じてメッセージが表示される。
特許文献３の装置では、商品の指定に際して多数の商品アイテムを複数にグループ化して、一度に表示されるキーの数を少なくして商品指定の簡便化を図っている。
特許文献４の装置では、異種商品を予め決められた数量だけ一緒に購入するミックスマッチ販売する際に容易に、ミックスマッチを指定できるようにしている。
【発明の開示】
【発明が解決しようとする課題】
【０００４】
特許文献１にあっては、棚位置で商品個々の実際の在庫数を知ることができるので、在庫状況を確認しながら発注等が行える。しかし、この装置では商品の清算時には使用できないし、各商品の在庫量の状況は把握できない。
特許文献２にあっては、在庫量に応じて適切なメッセージが表示されるので、顧客へのサービスが向上する。しかし、これは顧客向けのメッセージであり、商品の無駄を防止することはできない。
特許文献３にあっては、商品を〔００２０〕に記載されているような「優先」、「野菜」、「果実」等の区分でグループ化しているため、商品を指定する際にキー操作を容易にすることができる。しかし、この装置ではキーオペレーションの容易のみで、商品の無駄を防止することはできない。
特許文献４の発明では、ミックスマッチの指定が容易であるが、商品の無駄を防止することはできない。
【０００５】
したがって、本発明の目的は、商品清算装置において、販売する商品の売れ残りを減らすことにある。
【課題を解決するための手段】
【０００６】
前記目的を達成するために、本発明の商品清算装置は、買い上げる商品の価格に関する清算を行う商品清算装置であって、買い上げ対象の商品を指定できるように画像を表示する商品指定ボタンを表示する表示操作部と、前記商品の残量を演算する演算手段とを備え、前記演算手段によって算出された商品の残量を当該商品についての前記商品指定ボタンに表示することを特徴とする。
【発明の効果】
【０００７】
本発明においては、商品の残量を表示させるから、該表示を見ながら販売員が、顧客に多少多めの購入を勧めることで売れ残りを防止することができる。
【発明を実施するための最良の形態】
【０００８】
本発明の好ましい実施例においては、前記表示操作部に前記商品指定ボタンを複数表示させると共に、前記複数の商品指定ボタンに商品ごとの残量を表示させるようにしてもよい。
複数の商品指定ボタンが表示され、該商品指定ボタンには、それぞれ残量が表示されるので、該表示された残量に基づき、顧客が購入を希望する商品と残量の少ない商品とのセット販売を勧めるなど、種々の販売方法を行うことができるから、売れ残りを防止することができる。
【０００９】
本発明においては、前記清算する商品を前記商品指定ボタンによって指定すると、前記演算手段によって算出された残量が所定の閾値よりも少ない商品を前記操作表示部に表示させてもよい。
これにより、残量の少ない商品が一目瞭然となるため、残量の少ない商品を積極的に売り込むことで、売れ残りを防止することができる。
【００１０】
本発明においては、前記清算する１以上の商品の指定に加え前記残量の少ない他の商品を前記商品指定ボタンで指定すると、予め設定された値引き計算を行う値引手段を備えていてもよい。
これにより、前記セット販売時の値引き操作を円滑に行うことができる。
【００１１】
本発明においては、時刻に対する商品の残量に基づいて商品が品切れになるか否かを予測する手段を更に備え、当該予測に基づいて品切れ予測を表示するようにしてもよい。
品切れとなるであろう商品が表示されるから、この表示に基づいて当該品切れ予測された商品を新たに供給することで売り上げ向上を図り得る。
【００１２】
本発明においては、時刻に対する商品の残量に基づいて品切れとなる時刻を算出し、当該時刻を商品ごとに表示するようにしてもよい。
これにより、品切れが生じると予測される品切時刻も分かるので至便である。
【００１３】
本発明においては、時刻に対する商品の残量に基づいて、商品が閉店までに売り切れないことを予測する手段を更に備え、当該予測に基づいて品余り予測を表示するようにしてもよい。
品余り予測を行うことにより、商品の値引き時刻を早くしたり、当該商品の販促を図ることができる。
【実施例１】
【００１４】
以下、本発明の実施例１にかかる商品清算装置を図１〜図５を用いて説明する。
本発明の商品清算装置は、たとえば、対面秤、計量秤、ラベル発行機またはレジスタなどであるが、以下の説明では対面秤を例にとって説明する。
【００１５】
図１（ａ）に示すように、対面秤１は、たとえば、食品などの商品の本体が陳列されたショーケース２の上に載置されて用いられる。対面秤１は商品を販売するための清算機能を有したキャッシュレジスタであり、販売員は顧客からの買い上げ予定の商品を指定されると、ショーケース２内のバット２ｂから該当の商品本体を必要量取り出し、対面秤１で計量等を行った後、清算を行う。
【００１６】
全体構成：
図１（ｂ）は、販売員側から見た対面秤１の斜視図である。
図１（ｂ）に示すように、対面秤１は食品などを載置する載置皿２０を備えている。載置皿２０は図示しないロードセルに支持されており、載置皿２０およびロードセルは図２に示す計量部６を構成している。
【００１７】
機器構成：
図２に示すように、対面秤１においては、前記計量部６、タッチスクリーン（表示操作部）３、ストロークキー部４および買い上げ伝票等の印字を行う印字部５などが、図示しないインターフェイスを介してコンピュータ１０に接続されている。
【００１８】
前記コンピュータ１０は、ＣＰＵ１１（演算手段）１１、ハードディスク１２、メモリ１３および計時を行うタイマ１４などを備えている。
ＣＰＵ１１は、前記計量部６からの重量信号に応じて被計量物の計量値を算出する。したがって、コンピュータ１０および計量部６は、商品の本体および／または副材等の分量を入力する計量装置を構成している。
【００１９】
前記ハードディスク１２は商品マスタ記憶部１２ａおよび副材マスタ記憶部１２ｂなどを備えている。
図３（ａ）に示すように、商品マスタ記憶部１２ａには、商品呼出No. 、品名、単価、品出量、販売量、残量および副材No. などからなる商品情報が互いに関連付けられて記憶されている。
図３（ｂ）に示すように、副材マスタ記憶部１２ｂには、前記副材No. 毎に副材等（同時使用物品）の名称および添付単位などからなる副材情報が互いに関連付けられて記憶されている。副材等としては、たとえば、小袋ごとに分けられて包装されたソース類およびドレッシング類や、スプーンなどの食器類が記憶されている。
【００２０】
ＣＰＵ１１は、商品が指定されると、当該商品に対応する商品情報を商品マスタ記憶部１２ａから読み出し、当該商品情報に副材No. が含まれている場合には、当該副材No. に対応する副材情報を副材マスタ記憶部１２ｂから読み出す。
【００２１】
前記各記憶部１２ａ，１２ｂの記憶内容は、たとえば、通信線によって店舗システムの上位コンピュータ等からデータを受け取ることで作成してもよいし、記憶媒体を介してデータを受け取るようにしてもよい。更には、タッチスクリーン３やストロークキー部４によって入力されてもよい。
【００２２】
タッチスクリーン３は、図４および図５に示す各画面を表示する表示手段を構成している。タッチスクリーン３には、商品指定ボタン３１をはじめとする種々の選択ボタンや、表示エリア、ポップアップウインドウなどが表示される。タッチスクリーン３に表示された表示画面の一部を指でタッチすることにより入力を行うことが可能である。図１（ｂ）に示すストロークキー部４には、テンキーなどが設けられている。
【００２３】
図１（ｂ）に示すように、タッチスクリーン３およびストロークキー部４は、印字部５と同じ側面に設けられている。なお、図１（ａ）に示すように、タッチスクリーン３の反対側の側面には、たとえば液晶表示器からなる顧客用表示器１００が設けられている。
【００２４】
図２に示す前記コンピュータ１０は、顧客からの預かり金が入力されると、当該預かり金から前記合計金額を減算し、釣銭額を算出してタッチスクリーン３に表示させる清算機能を有している。
【００２５】
本装置の運用：
つぎに、本装置の特徴部分の説明に先立ち、本装置の一般的な用い方について簡単に説明する。
販売員が所定の操作を行い、本装置を起動すると、図４（ａ）に示す初期画面が表示される。初期画面には、商品指定ボタン３１やメッセージエリア３２などが表示される。商品指定ボタン３１は、１つの画面に複数個表示され、それぞれのボタン３１には、各商品に対応するイメージ（たとえば、実際の商品を撮影した画像）および／または商品名等が表示される。
【００２６】
顧客が購入希望の商品を注文すると、販売員は当該買上げ対象の商品に対応する商品指定ボタン３１にタッチして商品を指定した後、商品本体の注文された分量を必要に応じて入力する。
一方、図４（ｂ）に示すように、ＣＰＵ１１は、商品指定ボタン３１の上に入力ウインドウ４０をポップアップ表示させる。入力ウインドウ４０には、販売員指定ボタン４１、風袋引ボタン４２、値引ボタン４３、訂正ボタン４５、品切れボタン４６および解除ボタン４７などが表示される。
【００２７】
販売員が自身の名前の表示された販売員指定ボタン４１にタッチして、当該注文を決定すると、ＣＰＵ１１は、入力ウインドウ４０を閉じると共に、図５（ａ）の商品一覧画面を表示させる。
商品一覧画面には、複数の商品指定ボタン３１と共に、買上商品表示エリア３７や販売員表示エリア３５、一覧表示ボタン３７ｂ、小計ボタン３８などが表示される。
【００２８】
商品の指定と入力とを繰り返し、顧客が購入を希望する商品の入力が終了して、販売員が小計ボタン３８等にタッチするなどの操作を行うと、ＣＰＵ１１は、図５（ｂ）に示す清算画面を表示させる。
【００２９】
前記清算画面には、買上商品一覧エリア３７Ａやスクロールボタン３７ｓなどが表示される。買上商品一覧エリア３７Ａには、商品の個数や、価格、副材の有無などがまとめて表示される。
清算画面の上部には、販売員名と共に、買上点数や合計金額等が表示される。販売員が、ストロークキー部４（図１（ｂ））を用いて顧客が支払った金額（預かり金）を入力すると、預かり金の金額が表示されると共に、釣銭が表示される。販売員は、商品、副材等と共に、釣銭を顧客に渡す。
その後、販売員は、所定のボタンにタッチして、図４（ａ）の初期画面を表示させて、次の顧客の注文を入力する。
【００３０】
残量表示：
つぎに、本装置の特徴部分について説明する。
ここで、図３（ａ）に示す商品マスタ記憶部１２ａに記憶された品出量は、商品の品出し時（バット２ｂに入れられた商品がショーケース２に並べられる時）に、販売員が当該商品を計量したり、個数の入力により入力された商品本体の総量である。
【００３１】
販売員は、商品が注文される度に、当該注文商品を載置皿２０上に載置して商品本体を計量したり、注文商品の個数の入力を行うことにより、注文商品の分量の入力を行う。その後、販売員が所定の操作を行い、清算が行われると、ＣＰＵ１１は、該清算が行われる度に、前記注文商品の計量値や個数を当該商品の販売量として商品マスタ記憶部１２ａの販売量欄に積算記憶させる。一方、ＣＰＵ１１は、前記清算が行われる度に、当該商品の品出し量から当該商品の販売量を減算して、商品毎に現在の残量（以下、実際にバット２ｂに残っている実際の商品の残量と区別するために「算出残量」という）を演算し、商品マスタ記憶部１２ａの残量欄に更新記憶させると共に、図４（ａ）および図５（ａ）に示すように、商品指定ボタン３１に、当該算出残量を更新して表示させる。したがって、各商品指定ボタン３１には、常に当該商品の現在の残量（算出残量）が表示されている。
【００３２】
このように、複数の商品指定ボタン３１毎に当該商品の算出残量が表示されるので、販売員は、該表示された算出残量に基づき、売れ残りそうな商品を積極的に売り込むことができる。また、残量が少ない商品を積極的に売り込み、売り切ることができる。
【００３３】
なお、前記販売量に単価を乗じて販売額を算出し、前記残量と共に、該販売額や販売量などを各商品指定ボタン３１に、それぞれ表示させるようにしてもよい。また、必要に応じて、所定の操作を行うことで、前記販売額や販売量などが表示されるようにしてもよい。
【実施例２】
【００３４】
つぎに、実施例２にかかる商品清算装置を図６〜図８を用いて説明する。
以下の説明では、前述の実施例１とは異なる部分を主に説明する。
図６（ａ）に示すように、商品マスタ記憶部１２ａには、商品情報として、前述の実施例１で示した商品情報に加えて、グループNo. および閾値が商品毎にそれぞれ記憶されている。
【００３５】
前記閾値には、当該商品の残量が少なくなったか否かを判別するための閾値が記憶されている。ＣＰＵ１１は、前記算出残量が演算されると、当該算出残量と当該商品の閾値とを比較し、算出残量が閾値以下である場合には、該商品の残量が少なくなった（残量少）と判断する。
【００３６】
前記グループNo. は、たとえば、「サラダグループ」や「フライ＆カリーグループ」など商品の種類に関するグループに対応するグループNo. （１や２）と共に、残量少の商品のグループに対応するグループNo. （３）からなる。
図４（ａ）に示すように、複数の商品指定ボタン３１の下部には、複数のグループページボタン５１，５２，５４が表示されている。ページボタン５１，５２，５４には、当該グループに対応するグループ名などがそれぞれ表示される。前記ページボタン５１（５２，５４）にタッチして指定することで、各グループに属する複数の商品指定ボタン３１を表示させることができる。
その他の構成は、実施例１と同様であり、その説明を省略する。
【００３７】
残少グループ：
ＣＰＵ１１は、商品の清算が行われる度に、品出量から販売量を減算して算出残量を買上げ商品ごとに演算する。一方、ＣＰＵ１１は、当該算出残量と閾値とを比較し、算出残量が閾値以下か否かの判別を行う。たとえば、図６（ａ）に示すように、「海老カツレツ」の算出残量が、図６（ｂ）に示すように、閾値以下になると、ＣＰＵ１１は、当該残量少の商品のグループNo. を残量少のグループNo. に変更する。一方、ＣＰＵ１１は、当該商品の商品指定ボタン３１を残少グループのページに移動させる。したがって、図７（ａ）に示すように、当該商品の商品指定ボタン３１を当該グループページから消去すると共に、図７（ｂ）に示すように、残少グループボタン５４がタッチされた場合に、当該残少グループに残量が少ないと判別された該商品の商品指定ボタン３１を表示させる。
【００３８】
ＣＰＵ１１は、商品の清算の度に前述の残量の演算を行うと共に、残量が少ない商品の判別を繰り返す。前記判別を繰り返し行うことで、たとえば、図６（ｃ）に示すように、商品マスタ記憶部１２ａの複数の商品のグループNo. が残少グループNo. ３に変更されると共に、図８（ａ）に示すように、当該残少商品に対応する商品指定ボタン３１が残少ページにまとめて表示される。
【００３９】
販売員は、必要に応じて、残少ページに対応するページボタン５４にタッチし、残少ページを表示させる。残少ページには、残量が少なくなった商品の商品指定ボタン３１がまとめて表示されるので、残量が少なくなった商品が一目瞭然となると共に、当該商品を積極的に売り込むことで売り切ることができる。
【００４０】
なお、残量少の商品に対応する商品指定ボタン３１を該商品のグループページから消去して残少ページに移動する代わりに、当該商品指定ボタン３１を該商品のグループページにそのまま表示させると共に、残少ページにも表示させるようにしてもよい。すなわち、残量少の商品の商品指定ボタン３１を残少ページに移動させる代わりに、残少ページに複写（コピー）してもよい。
【００４１】
また、前記閾値は、商品ごとに設定してもよいし、複数個を１単位にして個数売りする商品については所定個数、計り（量り）売りの商品については所定重量としてもよい。
【００４２】
さらに、前記残少グループに加えて、品余りのおそれのある商品をまとめた残多グループを設定してもよい。すなわち、前記閾値（以下、「残少閾値」という）の他に、残少閾値よりも大きな値の残多閾値をハードディスク１２に記憶させる。算出残量が残多閾値以上である場合には、当該商品のグループNo. を残多グループNo. に書き換えると共に、当該商品に対応する商品指定ボタン３１を、残多ページに移動させる。
かかる残多閾値による判別は、タイマ１４から読み出した時刻に基づき、所定の時刻（たとえば、閉店に近い時刻など）以降に行うのが好ましい。
【００４３】
セット値引き：
商品の指定と入力とを繰り返し、顧客が購入を希望する商品の入力が終了して、販売員が小計ボタン３８にタッチすると、ＣＰＵ１１は、図８（ａ）に示す前記残少ページを表示させる。
販売員が、残少ページに表示された商品指定ボタン３１にタッチすると、ＣＰＵ１１は、予め設定された割合等に基づいて、当該指定された商品についての値引きを行う。なお、ハードディスク１２に当該値引き率を予め記憶しておいてもよいし、販売員が、図８（ｂ）に示す値引ボタン４３にタッチするなど所定の操作を行い、値引き率や値引き額を設定入力するようにしてもよい。
【００４４】
なお、ＣＰＵ１１は、顧客の購入希望商品の価格に、残量少の商品の価格を加えた上で、予め設定された値引き計算を行うようにしてもよい。すなわち、清算する商品と、残量の少ない商品とをセットとして、一括して値引きするようにしてもよい。かかるセット値引きを行うことで、売れ残りを防止することができると共に、該セット値引きの操作を円滑に行うことができる。
【００４５】
よりどり値引き：
ところで、異なる複数の商品の中から「どれでも○個で○円」等という値引き特売方法がある（たとえば、ポテトサラダ２００円、野菜サラダ２１０円、大根サラダ２２０円および中華サラダ２５０円の中から、よりどり２個で３００円で販売するなど。）。
【００４６】
従来の販売システムでは、特売商品とその条件（２個で３００円）を、予め設定登録しておく必要がある。しかし、値下げは閉店間際の忙しい時間帯に行う必要があり、しかも、臨機応変に値引き条件を変更する必要がある。そのため、予め値引き条件を設定登録しておくことは、運用上困難な場合がある。
【００４７】
また、複数の商品をまとめて値引きしているので、値引きした商品毎の販売実績を収拾することができない。たとえば、ポテトサラダ２００円と野菜サラダ２１０円の品を、２個で３００円で販売した場合、ポテトサラダと野菜サラダの値引き後の販売価格が、それぞれ幾らなのか分からないので、個々の商品についての販売実績を記録することができない。
【００４８】
そのため、本対面秤１では、以下の諸機能を設けることにより上記の問題を解決してもよい。
１．販売時に特売価格（よりどり値引き）を設定するための設定手段を設ける。
２．特売価格の加算を取り消す機能を設ける。
３．特売価格で販売した商品毎の実績（値引き額、重さ・個数などの販売量、販売額など）をハードディスク１２に記憶する機能を設ける。
４．特売価格で販売した商品の実績をハードディスク１２から読み出して集計する機能を設ける。
【００４９】
以下に、前記特売価格の設定手段として、特売の加算開始を設定するための「よりどり開始ボタン」６１を設けた場合について例示して説明する。
まず、図４（ａ）に示す初期画面で、販売員が、よりどり開始ボタン６１にタッチすると、よりどり値引きが開始され、図９（ａ）に示す担当者選択画面が表示される。担当者選択画面には、「担当者を選択してください」というメッセージが表示されると共に、入力ウインドウ４０がポップアップ表示される。
【００５０】
販売員が自分の名前（担当者名）の表示された販売員指定ボタン４１にタッチすると、図４（ａ）に示すように複数の商品指定ボタン３１が表示される。販売員が、よりどり値引きを行う商品指定ボタン３１にタッチすると、図９（ｂ）に示すように、前記選択された担当者名の表示された販売員指定ボタン４１のみが選択可能になった状態で、入力ウインドウ４０が表示される。販売員が当該販売員指定ボタン４１にタッチすると、図１０（ａ）に示す商品一覧画面が表示される。
【００５１】
販売員が、次に値引きする商品に対応する商品指定ボタン３１にタッチすると、図１０（ｂ）に示すように、入力ウインドウ４０がポップアップ表示される。販売員が、前記販売員指定ボタン４１にタッチすると、図１１（ａ）に示すように、タッチスクリーン３の上部に前記２点の合計金額（よりどり合計）が表示される。販売員がストロークキー部４（図１（ｂ））を用いて値引き後の合計金額（４００円）を入力すると、図１１（ｂ）に示すように、当該値引き後の合計金額が表示される。
【００５２】
値引き額の按分；
その後、販売員が所定の操作を行うと、ＣＰＵ１１は、図１２（ａ）に示す清算画面を表示させる。図１２（ａ）に示すように、買上商品一覧エリア３７Ａには、商品の個数や、価格、副材の有無などがまとめて表示されると共に、特価販売（よりどり値引き）を行った商品には、それぞれの商品ごとに値引き価格が表示される。前記値引き価格は、ＣＰＵ１１が各値引き商品の価格に基づいて、所定の演算を行い値引き額を按分した値からなる。該按分の方法としては、たとえば、値引き前の商品価格の合計金額に対する、各商品の商品価格の占める割合を算出して、値引き価格を分配するようにしてもよい。
【００５３】
ＣＰＵ１１は、商品名、価格、販売量などをハードディスク１２に記憶させると共に、特売価格で販売した商品毎の実績（値引き額、重さ・個数などの販売量、販売額など）をそれぞれの商品毎にハードディスク１２に記憶させる。
【００５４】
このように、値引き条件を、予め設定登録することなく、その都度、簡便に設定入力することができるから、臨機応変に値引き条件を設定することができる。特に、サラダよりどり２個で２００円など同種の商品の値引き（バンドルミックス販売）や、お弁当とお茶で４００円など同時に消費される商品のセット特売など、種々の販売形態に用いることができる。
また、値引きした個々の商品について値引き額を按分して、個々の商品に割り振ることにより、個々の商品についての販売実績を記録することができる。
【００５５】
一方、図１２（ｂ）に示すように、本対面秤１の商品マスタ記憶部１２ａには、各商品毎に「よりどりフラグ」が記憶される。たとえば、前述のように、よりどり２個で４００円というよりどり値引きを行った場合、ＣＰＵ１１は、当該値引きを行った商品のよりどりフラグに「１」を記憶させると共に、値引き金額をハードディスク１２に記憶させる。次回以降、よりどりフラグが立っている（「１」が記憶されている）商品が２種類指定された場合には、当該値引き額の適用が行われる。
なお、前記よりどり特価は３個以上の商品が指定されてもよいし、値引き金額の代わりに値引きの割合を用いてもよい。
【００５６】
また、前記残少グループの商品が指定された場合にのみ、よりどり値引きが行われるようにしてもよい。すなわち、よりどり個数と、値引き額とを設定入力し、残少グループの商品が当該個数分指定された場合には、当該値引き額を減算するようにしてもよい。
【００５７】
なお、商品の指定方法の他の例として、たとえば、「特売指定ボタン」（図示せず）を設け、以下のように商品の指定を行ってもよい。
１．特売を行う商品の商品指定ボタン３１にタッチして指定する。
２．特売指定ボタンにタッチし、当該商品を特売商品に指定する。
３．販売員指定ボタン４１にタッチして担当者を指定する。
前記１〜３の動作を繰り返し、特売を行う商品の指定を行うようにしてもよい。
【実施例３】
【００５８】
つぎに、実施例３にかかる商品清算装置を図１３を用いて説明する。
以下の説明では、前述の実施例１とは異なる部分を主に説明する。
図１３（ａ）に示すように、ハードディスク１２には、商品マスタ記憶部１２ａおよび副材マスタ記憶部１２ｂの他に、予測閾値記憶部１２ｙが設けられている。予測閾値記憶部１２ｙには、閉店までに商品が品切れになるか否かを予測するための予測閾値が商品ごとに記憶されている。
その他の構成は、実施例１と同様であり、その説明を省略する。
【００５９】
品切れ予測：
ＣＰＵ（予測手段）１１は、前記タイマ１４から時刻を読み出すと共に、当該時刻が所定の時刻になると、予測閾値記憶部１２ｙから予測閾値を読み出し、各商品の算出残量と予測閾値とを比較する。算出残量が予測閾値以下である場合には、該商品が閉店までに品切れになると予測する。ＣＰＵ１１は、品切れが予測された場合には、タッチスクリーン３に当該商品が品切れするおそれがある旨（品切れ予測）の表示を行う。
【００６０】
このように、時刻に対する商品の残量に基づいて、商品の品切れを予測することにより、商品を新たに供給することで売り上げ向上を図り得る。特に、製造に時間のかかる商品については、商品の品切れを予測することにより、前もって製造を開始することができる。
【００６１】
なお、予測閾値は、商品の種類ごとに設定してもよいし、量り売りの重量や個数売りの個数に対応する共通の値を設定してもよい。
【００６２】
また、品切れ予測の閾値の他に、該品切れ予測閾値の値よりも大きな品余り閾値を記憶させ、所定時刻に前記算出残量が品余り閾値以上である場合には、閉店までに商品が売り切れない（売れ残る）と予測するようにしてもよい。ＣＰＵ１１は、品余りが予測された場合には、タッチスクリーン３に当該商品が売れ残るおそれがある旨の表示を行う。
販売員は、品余り予測に基づき、当該商品の値引き時刻を早めるなど、該商品の販促を図ることができる。
【００６３】
さらに、ＣＰＵ１１は、時刻に対する商品の算出残量に基づいて、品切れとなる時刻を予測し、当該品切れ予測時刻を商品毎に表示するようにしてもよい。
たとえば、ＣＰＵ１１は、所定の時間ごとに、商品の算出残量が減少する割合を商品毎に算出し、当該減少する割合に基づき、過去のデータと比較することにより品切れが生じる時刻を予測するようにしてもよい。
また、前記時刻の予測は、残量および売れ行きの双方に基づいて演算してもよい。
【００６４】
また、図１３（ｂ）に示すように、前記予測閾値として、時刻と残量との関係を示すマップイメージを記憶しておいてもよい。ＣＰＵ１１は、清算が行われて算出残量が演算された時刻をタイマ１４から読み出し、当該算出残量が、図１３（ｂ）に示す当該時刻における斜線部分以下である場合には、品切れが生じると予測する。一方、前記斜線部分以上である場合には、品余りが生じると予測する。
なお、前記マップイメージとしては、曜日や天候毎に設けてもよいし、残量の他に当日の売れ行きを加味してもよい。
【００６５】
また、売れ残りや品切れが予想される商品に対応する商品指定ボタン３１を、他の商品指定ボタン３１と区別して表示してもよい。たとえば、品切れが予想される商品の商品指定ボタン３１を赤枠などで囲んで表示してもよいし、売れ残りが予想される商品の商品指定ボタン３１を赤枠などで囲むと共に点滅表示させてもよい。
【００６６】
ここで、従来より、印字部５から発行されるレシートには種々の広告が印字されている。しかし、顧客の年齢や性別に拘わらず、全てのレシートに同一の広告を印字しているため、いまひとつ宣伝効果が上がらない。
そこで、本対面秤１では、図５（ｂ）に示す清算画面に、年齢・性別ボタン６５を設けている。清算時に販売員が顧客の年齢および性別に応じた年齢・性別ボタン６５にタッチすると、当該年齢および性別に対応した広告６６がレシートに印字されて発行される。たとえば、「女性若年」の年齢・性別ボタン６５がタッチされた場合には、図１４（ａ）に示すように、演劇の広告６６が印字され、一方、「男性若年」の年齢・性別ボタン６５がタッチされた場合には、図１４（ｂ）に示すように、英語テストの広告６６などが印字されるようにしてもよい。
【００６７】
ところで、クーポン券によって割引を行った場合は、その割引額をクーポン発行業者に請求している。そのため、クーポン券によって割り引いた金額は、クーポン金額として、通常の割引とは別に集計する必要がある。
そこで、本対面秤１では、通常の値引ボタン４３（図４（ｂ））とは別に、クーポン割引ボタン（図示せず）を設けている。販売員が商品を指定した後、クーポン割引ボタンにタッチすると、ＣＰＵ１１は、クーポン券による割引を行い、当該クーポン割引額がハードディスク１２に割引実績として記憶される。集計時において、図１５（ａ）に示すように、クーポン割引額のみを表示させることができる。
【００６８】
一方、商品買上げ時にクレジットカードで支払いが行われた場合にも、割引が適用される。前記割引率は、クレジットカード会社によって異なる。
そこで、本対面秤１では、カードリーダ（図示せず）を設けると共に、ハードディスク１２に割引率を記憶させ、該割引率に対応するプリセット値引きボタン（図示せず）を割引率ごとに設けている。
【００６９】
カードによる値引きを行う場合には、販売員がクレジットカードをカードリーダに読み込ませると共に、当該カード会社に対応する割引率の値引きボタンにタッチして、割引を行う。ＣＰＵ１１は、値引きボタンに対応する割引率ごとに割引金額の実績をハードディスク１２に記憶させる。集計時には、図１５（ｂ）に示すように、割引金額ごとに値引き額が表示される。
【００７０】
このように、カード会社によって異なる割引率を予め設定しているので、割引ミスを減少させることができる。
なお、カード会社ごとに割引金額の実績を記憶させるようにすれば、カード会社毎の割引額を集計することができる。
【００７１】
ところで、図１６（ａ）に示すように、買上げ品目の印字されたレシートには、商品の品名と価格が、買上げ商品ごとに印字される。該印字内容は、販売員が商品の指定を行った商品毎に印字されるので、顧客が同一商品を追加注文した場合には、該追加注文した商品は別項目として印字される。そのため、レシートが長くなり、不経済である。
そこで、図１６（ｂ）〜（ｄ）に示すように、同一品目の商品をまとめて印字するようにしてもよい。図１６（ｂ）では、同一品目の単価、重量および価格等をまとめて印字している。図１６（ｃ）では、同一品目の重量および金額を合計して印字している。図１６（ｃ）では、同一品目の個数および金額を合計して印字している。
【００７２】
図１７は、本対面秤１の売り上げを集計した集計画面である。販売員は、集計時において、対面秤１に所定の操作を行い、タッチスクリーン３に集計画面を表示させて売り上げの分析等を行う。
図１７（ａ）に示す集計画面には、ズームインボタン６７、ズームアウトボタン６８および集計表示エリア６９が表示されている。集計表示エリア６９には、たとえば、所定時間毎（たとえば、１時間毎）の売り上げが表示される。
【００７３】
ここで、所定時間の売り上げを更に細かく知りたい場合には、当該時間帯にタッチして指定した後、ズームインボタン６７にタッチすると、図１７（ｂ）に示すように、該指定時間帯について、より細かな時間毎（たとえば、１５分毎）に売り上げが表示される。なお、ズームアウトボタン６８にタッチすると、図１７（ａ）の通常表示に戻る。
【００７４】
ところで、閉店後、対面秤１に記憶された売上額（対面秤１内部に記憶された総売り上げ額）と、実際の金額（現金）とを比較して当日の売り上げのチェックを行う。しかし、販売員のお釣りの支払い間違いなどによって、売上額と現金とが異なる場合が多い。そこで、本対面秤１には、現金の過不足を調整するための機能が設けられている。
【００７５】
売り上げチェック時には、販売員が所定の操作を行い、図１８に示す調整画面を表示させる。図１８（ａ）に示すように、調整画面には、在高入力エリア７０や、過不足表示エリア７１などが表示される。過不足表示エリア７１には、売上額の合計などが表示されている。
【００７６】
販売員が現金を勘定し、図１８（ｂ）に示すように、紙幣や硬貨の枚数や個数（現金）をそれぞれ入力した後、所定の操作を行うと、売上額から現金が減算された過不足額が過不足表示エリア７１に表示される。一方、ＣＰＵ１１は、算出された過不足額をハードディスク１２に記憶させる。集計時には、当該過不足額を随時読み出して処理することができる。
【００７７】
以上のとおり、図面を参照しながら好適な実施形態を説明したが、当業者であれば、本明細書を見て、自明な範囲で種々の変更および修正を容易に想定するであろう。
たとえば、「商品清算装置」としては、対面秤の他に、計量ラベル発行秤、ラベラ（たとえば、コロッケの個数を入力してラベルのみ発行するラベラ）、レジスタなども本発明の対象となる。
また、商品の残量は、前述の計量部による計量や販売員による置数入力の他に、ＰＯＳシステムからの集計であってもよい。
さらに、残量としては、商品の重量や、容量、数を含む。
また、商品指定ボタンに表示する画像は、必ずしもイメージデータ（写真や図）である必要はなく、商品名と残量を文字や数字のみで表示してもよい。
したがって、そのような変更および修正は、請求の範囲から定まる本発明の範囲内のものと解釈される。
【産業上の利用可能性】
【００７８】
本発明は、商品の価格情報を表示する商品清算装置に適用することができる。
【図面の簡単な説明】
【００７９】
【図１】（ａ）は本発明の実施例１にかかる商品清算装置の用い方を示す概略正面図、（ｂ）は同装置の概略斜視図である。
【図２】商品清算装置を示す概略構成図である。
【図３】記憶手段の記憶内容を示す図表である。
【図４】表示操作部の表示画面を示す正面図である。
【図５】表示操作部の表示画面を示す正面図である。
【図６】本発明の実施例２にかかる商品清算装置の記憶内容を示す図表である。
【図７】表示操作部の表示画面を示す正面図である。
【図８】表示操作部の表示画面を示す正面図である。
【図９】変形例の表示操作部の表示画面を示す正面図である。
【図１０】変形例の表示操作部の表示画面を示す正面図である。
【図１１】変形例の表示操作部の表示画面を示す正面図である。
【図１２】（ａ）は変形例の表示操作部の表示画面を示す正面図、（ｂ）は記憶手段の記憶内容を示す図表である。
【図１３】（ａ）は実施例３にかかる商品清算装置を示す概略構成図、（ｂ）は変形例にかかるマップデータのグラフである。
【図１４】レシートの印字内容を示す正面図である。
【図１５】表示操作部の表示画面を示す正面図である。
【図１６】レシートの印字内容を示す正面図である。
【図１７】表示操作部の表示画面を示す正面図である。
【図１８】表示操作部の表示画面を示す正面図である。
【符号の説明】
【００８０】
１：対面秤（商品清算装置）
３：タッチスクリーン（表示操作部）
１１：ＣＰＵ（演算手段、値引手段、予測手段）
３１：商品指定ボタン
【図１】
2005322038.tif 000003
【図２】
2005322038.tif 000004
【図３】
2005322038.tif 000005
【図４】
2005322038.tif 000006
【図５】
2005322038.tif 000007
【図６】
2005322038.tif 000008
【図７】
2005322038.tif 000009
【図８】
2005322038.tif 000010
【図９】
2005322038.tif 000011
【図１０】
2005322038.tif 000012
【図１１】
2005322038.tif 000013
【図１２】
2005322038.tif 000014
【図１３】
2005322038.tif 000015
【図１４】
2005322038.tif 000016
【図１５】
2005322038.tif 000017
【図１６】
2005322038.tif 000018
【図１７】
2005322038.tif 000019
【図１８】
2005322038.tif 000020